【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
（Ａ）炭素数２〜１８の脂肪族ジカルボン酸及び炭素数５〜１０のシクロ脂肪族ジカルボン酸から選択された、少なくとも１種の置換又は非置換の、線状又は分枝状のジカルボン酸の残基並びに脂肪族ジオール、ポリアルキレンエーテルグリコール及びシクロ脂肪族ジオールから選択された、少なくとも１種の置換又は非置換の、線状又は分枝状の、炭素数２〜１８のジオールの残基を含んでなる少なくとも１種の脂肪族熱可塑性ポリエステル、
（Ｂ）少なくとも１種のヒンダードアミン光安定剤並びに
（Ｃ）少なくとも１種のトリス−アリール−Ｓ−トリアジンＵＶ吸収剤を含んでなる安定化脂肪族ポリエステル組成物。
【請求項２】
（Ｄ）少なくとも１種のペンタエリスリトールジホスファイトを更に含み、前記少なくとも１種のヒンダードアミン光安定剤が、式（１）及び（３）：
【化１】
2008520806.tif 000001
［式中、Ｒ3、Ｒ4、Ｒ5及びＲ6はＣ1〜Ｃ22アルキルであり、
Ｒ7及びＲ8は、独立に、水素、Ｃ1〜Ｃ22アルキル及びＣ1〜Ｃ22アルコキシから選択され、
Ｙ1は−Ｏ−であり、
Ｌ1は２価の結合基−Ｃ（Ｏ）−Ｌ2−Ｃ（Ｏ）−であり、
Ｌ2はＣ1〜Ｃ22アルキレンであり、そして
Ｒ11は水素、Ｃ1〜Ｃ22アルキル、置換されたＣ1〜Ｃ22アルキル及びラジカルＡ（但し、前記ラジカルＡは、下記の構造：
【化２】
2008520806.tif 000002
（式中、★は、結合の位置を示す）
を有する）
から選択される］
を有する１種又はそれ以上の化合物から選択される、請求項１に記載の安定化脂肪族ポリエステル組成物。
【請求項３】
（Ａ）前記少なくとも１種の熱可塑性脂肪族ポリエステルが、１００モル％のジカルボン酸残基の合計基準で８０〜１００モル％の、１，４−シクロヘキサンジカルボン酸及び１，３−シクロヘキサンジカルボン酸から選択された少なくとも１種のジカルボン酸の残基並びに１００モル％のジオール残基の合計基準で１０〜１００モル％の、１，４−シクロヘキサンジメタノール、エチレングリコール、ジエチレングリコール、１，３−シクロヘキサンジメタノール、１，４−ブタンジオール及び２，２，４，４−テトラメチル−１，３−シクロブタンジオールから選択された前記少なくとも１種のジオールの残基を含み、
（Ｂ）前記組成物の全重量基準で０．１〜２重量％の、式（１）：
【化３】
2008520806.tif 000003
［式中、Ｒ3、Ｒ4、Ｒ5及びＲ6はメチル基であり、
Ｒ7はメチル、Ｃ8Ｈ17Ｏ−又は水素であり、
Ｙ1は−Ｏ−であり、
Ｌ1は２価の結合基−Ｃ（Ｏ）−Ｌ2−Ｃ（Ｏ）−であり、そして
Ｌ2はＣ8アルキレンである］
を有する化合物から選択された、前記少なくとも１種のヒンダードアミン光安定剤、
（Ｃ）前記組成物の全重量基準で０．１〜６重量％の、式（５）：
【化４】
2008520806.tif 000004
［式中、Ｒ15及びＲ16は水素であり、
Ｒ13、Ｒ14、Ｒ17及びＲ18は水素又はメチルであり、そして
Ｒ19は−ＯＣ6Ｈ13又は−ＯＣ8Ｈ17である］
を有する化合物から選択された前記少なくとも１種のトリス−アリール−Ｓ−トリアジンＵＶ吸収剤並びに
（Ｄ）前記組成物の全重量基準で０．１〜２重量％の、式（６）：
【化５】
2008520806.tif 000005
（式中、Ｒ1及びＲ2は、それぞれ、イソデシル、オクタデシル又は２，４−ジ−ｔｅｒｔ−ブチルフェニルである）
を有する化合物から選択された少なくとも１種のペンタエリスリトールジホスファイト
を含む請求項１に記載の安定化脂肪族ポリエステル組成物。
【請求項４】
安定化脂肪族ポリエステル組成物の製造方法であって、
（Ａ）炭素数２〜１８の脂肪族ジカルボン酸及び炭素数５〜１０のシクロ脂肪族ジカルボン酸から選択された、少なくとも１種の置換又は非置換の、線状又は分枝状のジカルボン酸の残基並びに脂肪族ジオール、ポリアルキレンエーテルグリコール及びシクロ脂肪族ジオールから選択された、少なくとも１種の置換又は非置換の、線状又は分枝状の、炭素数２〜１８のジオールの残基を含む、少なくとも１種の脂肪族熱可塑性ポリエステル、
（Ｂ）前記組成物の全重量基準で、０．１〜２重量％の、式（１）：
【化６】
2008520806.tif 000006
［式中、Ｒ3、Ｒ4、Ｒ5及びＲ6はメチル基であり、
Ｒ7はメチル、Ｃ8Ｈ17Ｏ−又は水素であり、
Ｙ1は−Ｏ−であり、
Ｌ1は２価の結合基−Ｃ（Ｏ）−Ｌ2−Ｃ（Ｏ）−であり、そして
Ｌ2はＣ8アルキレンである］
を有する化合物から選択された、少なくとも１種のヒンダードアミン光安定剤、
（Ｃ）前記組成物の全重量基準で、０．１〜６重量％の、式（５）：
【化７】
2008520806.tif 000007
［式中、Ｒ15及びＲ16は水素であり、
Ｒ13、Ｒ14、Ｒ17及びＲ18は水素又はメチルであり、そして
Ｒ19は−ＯＣ6Ｈ13又は−ＯＣ8Ｈ17である］
を有する化合物から選択された少なくとも１種のトリス−アリール−Ｓ−トリアジンＵＶ吸収剤並びに
（Ｄ）前記組成物の全重量基準で、０．１〜２重量％の、式（６）：
【化８】
2008520806.tif 000008
（式中、Ｒ1及びＲ2は、それぞれ、イソデシル、オクタデシル又は２，４−ジ−ｔｅｒｔ−ブチルフェニルである）
を有する化合物から選択された少なくとも１種のペンタエリスリトールジホスファイトをブレンドすることを含んでなる方法。
【請求項５】
前記ジカルボン酸がマロン酸、コハク酸、グルタル酸、アジピン酸、ピメリン酸、アゼライン酸、セバシン酸、フマル酸、２，２−ジメチルグルタル酸、スベリン酸、１，３−シクロペンタンジカルボン酸、２，６−デカヒドロナフタレンジカルボン酸、１，４−シクロヘキサンジカルボン酸、１，１２−ドデカンジオン酸、１，３−シクロヘキサンジカルボン酸、ジグリコール酸、イタコン酸、マレイン酸及び２，５−ノルボルナンジカルボン酸から選択された少なくとも１種のジカルボン酸を含む請求項１に記載のポリエステル組成物。
【請求項６】
前記ジカルボン酸がグルタル酸、ジグリコール酸、コハク酸、１，４−シクロヘキサンジカルボン酸、アジピン酸、２，６−デカヒドロナフタレンジカルボン酸、１，４−シクロヘキサンジカルボン酸、１，３−シクロヘキサンジカルボン酸及び２，５−ノルボルナンジカルボン酸から選択された少なくとも１種のジカルボン酸の残基を含む請求項１及び２のいずれか１項に記載のポリエステル組成物。
【請求項７】
前記ジカルボン酸が１，４−シクロヘキサンジカルボン酸を含む請求項１に記載のポリエステル組成物。
【請求項８】
前記ジオールがエチレングリコール、ジエチレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、ポリ（エチレングリコール）、ジエチレングリコール、２，２，４−トリメチル−１，６−ヘキサンジオール、チオジエタノール、１，３−シクロヘキサンジメタノール、１，４−シクロヘキサンジメタノール、２，６−デカヒドロナフタレンジメタノール、２，２，４，４−テトラメチル−１，３−シクロブタンジオール、トリエチレングリコール、テトラエチレングリコール、ポリ（プロピレングリコール）、１，４：３，６−ジアンヒドロソルビトール及び４，４’−イソプロピリデンジシクロヘキサノールから選択された少なくとも１種のジオールを含む請求項１及び２のいずれか１項に記載のポリエステル組成物。
【請求項９】
前記ジオールが１，４−ブタンジオール、１，３−プロパンジオール、エチレングリコール、１，６−ヘキサンジオール、ジエチレングリコール、１，３−シクロヘキサンジメタノール、１，４−シクロヘキサンジメタノール、２，６−デカヒドロナフタレンジメタノール及び２，２，４，４−テトラメチル−１，３−シクロブタンジオールから選択された少なくとも１種のジオールを含む請求項８に記載のポリエステル組成物。
【請求項１０】
前記組成物の全重量基準で、０．１〜２重量％の前記ペンタエリスリトールジホスファイトを含み、前記ペンタエリスリトールジホスファイトが式（６）：
【化９】
2008520806.tif 000009
（式中、Ｒ1及びＲ2は、独立に、置換及び非置換のＣ1〜Ｃ22アルキル、Ｃ3〜Ｃ8シクロアルキル及びアリールから選択される）
を有する少なくとも１種の化合物を含む請求項２に記載のポリエステル組成物。
【請求項１１】
前記ポリエステルが、ジカルボン酸残基の全モル数基準で、８０〜１００モル％の、１，４−シクロヘキサンジカルボン酸、１，３−シクロヘキサンジカルボン酸又はこれらの混合物の残基及びジオール残基の全モル数基準で１０〜１００モル％の、１，４−シクロヘキサンジメタノール、エチレングリコール、ジエチレングリコール、１，３−シクロヘキサンジメタノール、１，４−ブタンジオール、２，２，４，４−テトラメチル−１，３−シクロブタンジオール又はこれらの混合物の残基を含む請求項１及び９のいずれか１項に記載のポリエステル組成物。
【請求項１２】
前記脂肪族ポリエステルが、ジカルボン酸残基の全モル数基準で、９５〜１００モル％の１，４−シクロヘキサンジカルボン酸の残基及び、ジオール残基の全モル数基準で、９５〜１００モル％の１，４−シクロヘキサンジメタノールの残基を含む請求項７に記載のポリエステル組成物。
【請求項１３】
前記脂肪族ポリエステルがポリ（１，３−シクロヘキシレンジメチレン−１，３−シクロヘキサンジカルボキシレート）、ポリ（１，４−シクロヘキシレンジメチレン−１，４−シクロヘキサンジカルボキシレート）及びポリ（２，２，４，４−テトラメチル−１，３−シクロブチレン−１，４−シクロヘキサンジカルボキシレート）から選択された少なくとも１種のポリエステルを含む請求項１、２、３及び１１のいずれか１項に記載のポリエステル組成物。
【請求項１４】
０．０５〜２重量％の前記ヒンダードアミン光安定剤を含み、前記ヒンダードアミン光安定剤が式（１〜４）：
【化１０】
2008520806.tif 000010
［式中、Ｒ3、Ｒ4、Ｒ5及びＲ6はＣ1〜Ｃ22アルキルであり、
Ｒ7及びＲ8は、独立に、水素、Ｃ1〜Ｃ22アルキル及びＣ1〜Ｃ22アルコキシから選択され、
Ｙ1は−Ｏ−であり、
Ｌ1は２価の結合基−Ｃ（Ｏ）−Ｌ2−Ｃ（Ｏ）−であり、
Ｌ2はＣ1〜Ｃ22アルキレンであり、
Ｒ9及びＲ10は、独立に、水素、Ｃ1〜Ｃ22アルキル、Ｃ3〜Ｃ8シクロアルキル及び置換されたＣ3〜Ｃ8シクロアルキルから選択され又はＲ9及びＲ10は、集合的に、モルホリン及び／若しくはピペリジン環を形成する２価の基を表すことができ、
ｚは２０以下の正の整数であり、
Ｒ11は水素、Ｃ1〜Ｃ22アルキル、置換されたＣ1〜Ｃ22アルキル及びラジカルＡ（但し、ラジカルＡは下記の構造：
【化１１】
2008520806.tif 000011
（式中、★は結合の位置を示す）
を有する）
から選択される］
を有する１種又はそれ以上の化合物から選択される請求項１に記載のポリエステル組成物。
【請求項１５】
前記組成物の全重量基準で、０．１〜１重量％の前記ヒンダードアミン光安定剤を含む請求項２及び１４のいずれか１項に記載のポリエステル組成物。
【請求項１６】
前記ヒンダードアミン光安定剤が式（１）（式中、Ｒ3、Ｒ4、Ｒ5及びＲ6がメチル基であり、Ｒ7がメチル、Ｃ8Ｈ17Ｏ−又は水素であり、そしてＬ2がＣ8アルキレンである）を有する少なくとも１種の化合物を含む請求項２及び１４のいずれか１項に記載のポリエステル組成物。
【請求項１７】
Ｒ7が水素である請求項１６に記載のポリエステル組成物。
【請求項１８】
Ｒ7がＣ8Ｈ17Ｏ−である請求項１６に記載のポリエステル組成物。
【請求項１９】
Ｒ7がメチルである請求項１６に記載のポリエステル組成物。
【請求項２０】
前記ヒンダードアミン光安定剤が式（２）（式中、Ｒ3、Ｒ4、Ｒ5及びＲ6がメチル基であり、Ｒ8がメチル基又は水素であり、（Ｒ9）Ｎ（Ｒ10）が集合的にモルホリノ基を表し、そしてＬ2がＣ6アルキレンである）を有する化合物を含む請求項１４に記載のポリエステル組成物。
【請求項２１】
前記ヒンダードアミン光安定剤が式（２）（式中、Ｒ3、Ｒ4、Ｒ5及びＲ6がメチルであり、Ｒ8及びＲ9が水素であり、Ｒ10が２，４，４−トリメチル−２−ペンチルであり、そしてＬ2がＣ6アルキレンである）を有する化合物を含む請求項１４に記載のポリエステル組成物。
【請求項２２】
前記ヒンダードアミン光安定剤が式（３）（式中、Ｒ3、Ｒ4、Ｒ5、Ｒ6及びＲ8がメチルであり、そしてＲ11がラジカルＡである）を有する化合物を含む請求項２及び１４のいずれか１項に記載のポリエステル組成物。
【請求項２３】
前記ヒンダードアミン光安定剤が式（４）（式中、Ｒ3、Ｒ4、Ｒ5及びＲ6がメチルであり、そしてＲ7が水素又はメチルである）を有する化合物を含む請求項１４に記載のポリエステル組成物。
【請求項２４】
前記組成物の全重量基準で、０．１〜６重量％の前記トリス−アリール−Ｓ−トリアジンＵＶ吸収剤を含み、前記トリス−アリール−Ｓ−トリアジンＵＶ吸収剤が式（５）：
【化１２】
2008520806.tif 000012
［式中、Ｒ13、Ｒ14、Ｒ15、Ｒ16、Ｒ17及びＲ18は、独立に、水素、Ｃ1〜Ｃ22アルキル、置換されたＣ1〜Ｃ22アルキル、Ｃ3〜Ｃ8シクロアルキル及び置換されたＣ3〜Ｃ8シクロアルキルから選択され、そして
Ｒ19は水素、Ｃ1〜Ｃ22アルキル、置換されたＣ1〜Ｃ22アルキル、Ｃ3〜Ｃ8シクロアルキル、置換されたＣ3〜Ｃ8シクロアルキル及び−ＯＲ20（但し、Ｒ20は水素、Ｃ1〜Ｃ22アルキル、置換されたＣ1〜Ｃ22アルキル、Ｃ3〜Ｃ8シクロアルキル、置換されたＣ3〜Ｃ8シクロアルキル、アリール及びヘテロアリールから選択される）から選択される］
によって表される少なくとも１種の化合物を含む請求項１及び２のいずれか１項に記載のポリエステル組成物。
【請求項２５】
Ｒ13、Ｒ14、Ｒ15、Ｒ16、Ｒ17及びＲ18が水素であり、そしてＲ19が−ＯＣ6Ｈ13である請求項２４に記載のポリエステル組成物。
【請求項２６】
Ｒ15及びＲ16が水素であり、Ｒ13、Ｒ14、Ｒ17及びＲ18がメチルであり、そしてＲ19が−ＯＣ8Ｈ17である請求項２４に記載のポリエステル組成物。
【請求項２７】
前記ポリエステルが、ジカルボン酸残基の全モル数基準で、８０〜１００モル％の１，４−シクロヘキサンジカルボン酸、１，３−シクロヘキサンジカルボン酸又は、これらの混合物の残基及びジオール残基の全モル数基準で、１０〜１００モル％の、１，４−シクロヘキサンジメタノール、エチレングリコール、ジエチレングリコール、１，３−シクロヘキサンジメタノール、１，４−ブタンジオール、２，２，４，４−テトラメチル−１，３−シクロブタンジオール又はこれらの混合物の残基を含み、そして前記ヒンダードアミン光安定剤が式（２）：
【化１３】
2008520806.tif 000013
（式中、Ｒ3、Ｒ4、Ｒ5及びＲ6はメチルであり、
Ｒ8及びＲ9は水素であり、
Ｒ10は２，４，４−トリメチル−２−ペンチルであり、そして
Ｌ2はＣ6アルキレンである）
を有する化合物を含み、前記ポリエステル組成物が０．１〜２重量％の、（式中、Ｒ15及びＲ16が水素であり、Ｒ13、Ｒ14、Ｒ17及びＲ18が、水素又はメチルであり、そしてＲ19が、−ＯＣ6Ｈ13又は−ＯＣ8Ｈ17である）前記トリス−アリール−Ｓ−トリアジンＵＶ吸収剤を含む請求項２４に記載のポリエステル組成物。
【請求項２８】
前記ポリエステルがポリ（１，４−シクロヘキシレンジメチレン−１，４−シクロヘキサンジカルボキシレート）、ポリ（２，２，４，４−テトラメチル−１，３−シクロブチレン−１，４−シクロヘキサンジカルボキシレート）又はこれらの混合物を含む請求項２７に記載のポリエステル組成物。
【請求項２９】
Ｒ1及びＲ2が、それぞれ、イソデシル、オクタデシル又は２，４−ジ−ｔｅｒｔ−ブチルフェニルである請求項２に記載のポリエステル組成物。
【請求項３０】
Ｒ1及びＲ2がそれぞれオクタデシルである請求項２９に記載のポリエステル組成物。
【請求項３１】
前記脂肪族ポリエステルがポリ（１，４−シクロヘキシレンジメチレン−１，４−シクロヘキサンジカルボキシレート）を含み、そしてＲ1及びＲ2が、それぞれ、オクタデシルである請求項１３に記載のポリエステル組成物。
【請求項３２】
請求項２に記載のポリエステル組成物を含んでなる造形物品。
【請求項３３】
シート、フィルム、チューブ、ボトル、繊維、異形材又は成形物品を含む請求項３２記載の造形物品。
【請求項３４】
前記物品が１個又はそれ以上の層を含む請求項３３に記載の造形物品。
【請求項３５】
前記ブレンドが溶融ブレンドによるものである請求項４に記載の方法。